(57)【要約】  無線通信システムにおいて、シグナリングを送信及び受信するための技術が記述されている。変調シンボルの複数の（例えば８個の）ベクトルが定義され、これらは互いに直交し得る。複数の加入者局は送信リソースを共用し、また同じタイルで変調シンボルの異なるベクトルを同時に送信することができる。各加入者局は、シグナリングを伝達するためにこの加入者局によって使用可能な変調シンボルの少なくとも１つのベクトルの複数のセット、例えば肯定応答（ＡＣＫ）のための３個のベクトルのセット及び否定応答（ＮＡＫ）のための３個のベクトルの他のセットが割り当てられることが可能である。各加入者局は、シグナリング値を伝達するために、少なくとも１つのタイルで少なくとも１つのベクトルの１セットを送信できる。異なる加入者局は、これらのシグナリング値を伝達するために、少なくとも１つのタイルで少なくとも１つのベクトルの異なるセットを同時に送信することができる。
2010521886.tif 000002
【特許請求の範囲】
【請求項１】
１つのシグナリング値について少なくとも１つのタイルで加入者局によって送信する変調シンボルの少なくとも１つのベクトルであって、各タイルにおける変調シンボルの１つのベクトルであり、前記タイルにおいて少なくとも１つの他の加入者局によって使用可能な変調シンボルの少なくとも１つの他のベクトルに直交する各タイルの変調シンボルのベクトルである少なくとも１つのベクトルを決定し、前記少なくとも１つのベクトルの各々における前記変調シンボルを前記少なくとも１つのタイルのうちの１つの異なるタイルにおける複数のサブキャリアにマップし、および前記マップされた変調シンボルを前記シグナリング値を伝達するために前記少なくとも１つのタイルで送信するように構成された少なくとも１つのプロセッサと、
前記少なくとも１つのプロセッサに接続されたメモリと
を備える無線通信装置。
【請求項２】
前記少なくとも１つのプロセッサは、
前記シグナリング値について３個のタイルで送信する変調シンボルの３個のベクトルを決定し、
前記３個のベクトルの各々における前記変調シンボルを前記３個のタイルのうちの１つの異なるタイルにおける複数のサブキャリアにマップし、
前記シグナリング値を伝達するために前記３個のタイルで前記マップされた変調シンボルを送信するように構成されている請求項１に記載の無線通信装置。
【請求項３】
前記少なくとも１つのプロセッサは、
前記シグナリング値が肯定応答（ＡＣＫ）を備える場合、ＡＣＫのために前記加入者局によって使用可能な変調シンボルの３個のベクトルを前記送信する変調シンボルの３個のベクトルとして選択し、
前記シグナリング値が否定応答（ＮＡＫ）を備える場合、ＮＡＫのために前記加入者局によって使用可能な変調シンボルの３個のベクトルを前記送信する変調シンボルの３個のベクトルとして選択するように構成されている請求項２に記載の無線通信装置。
【請求項４】
前記少なくとも１つのプロセッサは、
肯定応答（ＡＣＫ）のために前記加入者局によって使用可能な変調シンボルの少なくとも１つのベクトルの第１のセットを決定し、
否定応答（ＮＡＫ）のために前記加入者局によって使用可能な変調シンボルの少なくとも１つのベクトルの第２のセットを決定し、
前記シグナリング値がＡＣＫを備える場合、前記変調シンボルの少なくとも１つのベクトルの第１のセットを前記送信する変調シンボルの少なくとも１つのベクトルとして選択し、
前記シグナリング値ＮＡＫを備える場合、前記変調シンボルの少なくとも１つのベクトルの第２のセットを前記送信する変調シンボルの少なくとも１つのベクトルとして選択するように構成されている請求項１に記載の無線通信装置。
【請求項５】
前記少なくとも１つのプロセッサは、
複数の可能なシグナリング値の間から前記シグナリング値を決定し、
前記複数の可能なシグナリング値に関して変調シンボルの少なくとも１つのベクトルの複数のセットの間から前記送信する変調シンボルの少なくとも１つのベクトルを決定するように構成されている請求項１に記載の無線通信装置。
【請求項６】
前記送信する少なくとも１つのベクトルの各々は、８個の変調シンボルを備えており、
前記少なくとも１つのプロセッサは、
前記少なくとも１つのベクトルの各々における前記８個の変調シンボルを前記少なくも１つのタイルのうちの１つの異なるタイルにおける８個のサブキャリアにマップするように構成されている請求項１に記載の無線通信装置。
【請求項７】
前記送信する少なくとも１つのベクトルの各々は、１２個の変調シンボルを備えており、
前記少なくとも１つのプロセッサは、
前記少なくとも１つのベクトルの各々における前記１２個の変調シンボルを前記少なくとも１つのタイルのうちの１つの異なるタイルにおける１２個のサブキャリアにマップするように構成されている請求項１に記載の無線通信装置。
【請求項８】
前記少なくとも１つのプロセッサは、
少なくとも１つのパイロット変調シンボルを前記少なくとも１つのタイルの各々における少なくとも１つのパイロットサブキャリアにマップするように構成されている請求項１に記載の無線通信装置。
【請求項９】
各タイルにおいて前記加入者局によって送信するベクトルと前記少なくとも１つの他の加入者局によって使用可能な少なくとも１つの他のベクトルとは、８個の直交するベクトルのグループからのものである請求項１に記載の無線通信装置。
【請求項１０】
前記少なくとも１つのプロセッサは、
ダウンリンクリソースを介してデータを受信し、
前記ダウンリンクリソースに基づいて前記加入者局によって使用可能な変調シンボルの少なくとも１つのベクトルの複数のセットを決定し、
前記シグナリング値に基づいて前記変調シンボルの少なくとも１つのベクトルの複数のセットのうちの１つを前記送信する変調シンボルの少なくとも１つのベクトルとして選択するように構成されている請求項１に記載の無線通信装置。
【請求項１１】
前記少なくとも１つのプロセッサは、
前記ダウンリンクリソースに基づいて前記少なくとも１つのタイルを決定するように構成されている請求項１０に記載の無線通信装置。
【請求項１２】
前記少なくとも１つのプロセッサは、
前記加入者局によって使用可能な変調シンボルの少なくとも１つのベクトルの複数のセットを示すシグナリングを受信し、
前記シグナリング値に基づいて前記変調シンボルの少なくとも１つのベクトルの複数のセットのうちの１つを前記送信する変調シンボルの少なくとも１つのベクトルとして選択するように構成されている請求項１に記載の無線通信装置。
【請求項１３】
前記少なくとも１つのプロセッサは、
前記シグナリングから前記加入者局に関する識別子またはチャネルを取得し、
前記識別子に基づいて前記加入者局によって使用可能な変調シンボルの少なくとも１つのベクトルの複数のセットを決定するように構成されている請求項１２に記載の無線通信装置。
【請求項１４】
１つのシグナリング値について少なくとも１つのタイルで加入者局によって送信する変調シンボルの少なくとも１つのベクトルであって、各タイルにおける変調シンボルの１つのベクトルであり、前記タイルにおいて少なくとも１つの他の加入者局によって使用可能な変調シンボルの少なくとも１つの他のベクトルに直交する各タイルの変調シンボルのベクトルである、少なくとも１つのベクトルを決定すること、
前記少なくとも１つのベクトルの各々における前記変調シンボルを前記少なくとも１つのタイルのうちの１つの異なるタイルにおける複数のサブキャリアにマップすること、
前記マップされた変調シンボルを前記シグナリング値を伝達するために前記少なくとも１つのタイルで送信すること
からなる無線通信方法。
【請求項１５】
前記変調シンボルの少なくとも１つのベクトルを決定することは、前記シグナリング値について３個のタイルで送信する変調シンボルの３個のベクトルを決定することを有し、
前記変調シンボルをマップすることは、前記３個のベクトルの各々における前記変調シンボルを前記３個のタイルのうちの１つの異なるタイルにおける複数のサブキャリアにマップすることを有し、
記マップされた変調シンボルを送信することは、前記シグナリング値を搬送するために前記３個のタイルで前記マップされた変調シンボルを送信することを有する請求項１４に記載の無線通信方法。
【請求項１６】
前記変調シンボルの３個のベクトルを決定することは、
前記シグナリング値が肯定応答（ＡＣＫ）を備える場合、ＡＣＫのために前記加入者局によって使用可能な変調シンボルの３個のベクトルを前記送信する変調シンボルの３個のベクトルとして選択すること、
前記シグナリング値が否定応答（ＮＡＫ）を備える場合、ＮＡＫのために前記加入者局によって使用可能な変調シンボルの３個のベクトルを前記送信する変調シンボルの３個のベクトルとして選択すること
を有する請求項１５に記載の無線通信方法。
【請求項１７】
前記変調シンボルの少なくとも１つのベクトルを決定することは、
複数の可能なシグナリング値の間から前記シグナリング値を決定すること、
前記複数の可能なシグナリング値に関して変調シンボルの少なくとも１つのベクトルの複数のセットの間から前記送信する変調シンボルの少なくとも１つのベクトルを決定すること
を有する請求項１４に記載の無線通信方法。
【請求項１８】
ダウンリンクリソースを介してデータを受信すること、
前記ダウンリンクリソースに基づいて前記加入者局によって使用可能な変調シンボルの少なくとも１つのベクトルの複数のセットを決定することを更に有し、
前記変調シンボルの少なくとも１つのベクトルを決定することは、
前記シグナリング値に基づいて前記変調シンボルの少なくとも１つのベクトルの複数のセットのうちの１つを前記送信する変調シンボルの少なくとも１つのベクトルとして選択することを備えた請求項１４に記載の無線通信方法。
【請求項１９】
前記加入者局によって使用可能な変調シンボルの少なくとも１つのベクトルの複数のセットを示す信号を受信することを更に有し、
前記変調シンボルの少なくとも１つのベクトルを決定することは、
前記シグナリング値に基づいて前記変調シンボルの少なくとも１つのベクトルの複数のセットのうちの１つを前記送信する変調シンボルの少なくとも１つのベクトルとして選択することを備えた請求項１４に記載の無線通信方法。
【請求項２０】
１つのシグナリング値について少なくとも１つのタイルで加入者局によって送信する変調シンボルの少なくとも１つのベクトルであって、各タイルにおける変調シンボルの１つのベクトルであり、前記タイルにおいて少なくとも１つの他の加入者局によって使用可能な変調シンボルの少なくとも１つの他のベクトルに直交する各タイルの変調シンボルのベクトルである少なくとも１つのベクトルを決定する手段と、
前記少なくとも１つのベクトルの各々における前記変調シンボルを前記少なくとも１つのタイルのうちの１つの異なるタイルにおける複数のサブキャリアにマップする手段と、
前記マップされた変調シンボルを前記シグナリング値を搬送するために前記少なくとも１つのタイルで送信する手段と、
を備えた無線通信装置。
【請求項２１】
前記変調シンボルの少なくとも１つのベクトルを決定する手段は、前記シグナリング値について３個のタイルで送信する変調シンボルの３個のベクトルを決定する手段を有し、
前記変調シンボルをマップする手段は、前記３個のベクトルの各々における前記変調シンボルを前記３個のタイルのうちの１つの異なるタイルにおける複数のサブキャリアにマップする手段を有し、
前記マップされた変調シンボルを送信する手段は、前記シグナリング値を伝達するために前記３個のタイルで前記マップされた変調シンボルを送信する手段を有する請求項２０に記載の無線通信装置。
【請求項２２】
前記変調シンボルの３個のベクトルを決定する手段は、
前記シグナリング値が肯定応答（ＡＣＫ）を備える場合、ＡＣＫのために前記加入者局によって使用可能な変調シンボルの３個のベクトルを前記送信する変調シンボルの３個のベクトルとして選択する手段と、
前記シグナリング値が否定応答（ＮＡＫ）を備える場合、ＮＡＫのために前記加入者局によって使用可能な変調シンボルの３個のベクトルを前記送信する変調シンボルの３個のベクトルとして選択する手段と
を備えた請求項２１に記載の無線通信装置。
【請求項２３】
前記変調シンボルの少なくとも１つのベクトルを決定する手段は、
複数の可能なシグナリング値の間から前記シグナリング値を決定する手段と、
前記複数の可能なシグナリング値に関して変調シンボルの少なくとも１つのベクトルの複数のセットの間から前記送信する変調シンボルの少なくとも１つのベクトルを決定する手段と
を備えた請求項２０に記載の無線通信装置。
【請求項２４】
ダウンリンクリソースを介してデータを受信する手段と、
前記ダウンリンクリソースに基づいて前記加入者局によって使用可能な変調シンボルの少なくとも１つのベクトルの複数のセットを決定する手段とを更に備え、
前記変調シンボルの少なくとも１つのベクトルを決定する手段は、
前記シグナリング値に基づいて前記変調シンボルの少なくとも１つのベクトルの複数のセットのうちの１つを前記送信する変調シンボルの少なくとも１つのベクトルとして選択する手段を備えた請求項２０に記載の無線通信装置。
【請求項２５】
前記加入者局によって使用可能な変調シンボルの少なくとも１つのベクトルの複数のセットを示す信号を受信する手段を更に備え、
前記変調シンボルの少なくとも１つのベクトルを決定する手段は、
前記シグナリング値に基づいて前記変調シンボルの少なくとも１つのベクトルの複数のセットのうちの１つを前記送信する変調シンボルの少なくとも１つのベクトルとして選択する手段を備えた請求項２０に記載の無線通信装置。
【請求項２６】
１つのシグナリング値について少なくとも１つのタイルで加入者局によって送信する変調シンボルの少なくとも１つのベクトルであって、各タイルにおける変調シンボルの１つのベクトルであり、前記タイルにおいて少なくとも１つの他の加入者局によって使用可能な変調シンボルの少なくとも１つの他のベクトルに直交する各タイルの変調シンボルのベクトルである、少なくとも１つのベクトルを決定することを少なくとも１つのコンピュータにさせるためのコードと、
前記少なくとも１つのベクトルの各々における前記変調シンボルを前記少なくとも１つのタイルのうちの１つの異なるタイルにおける複数のサブキャリアにマップすることを少なくとも１つのコンピュータにさせるためのコードと、
前記マップされた変調シンボルを前記シグナリング値を搬送するために前記少なくとも１つのタイルで送信することを前記少なくとも１つのコンピュータにさせるためのコードと
を有するコンピュータ可読媒体を備えたコンピュータプログラム製品。
【請求項２７】
前記コンピュータ可読媒体は、
前記シグナリング値について３個のタイルで送信する変調シンボルの３個のベクトルを決定することを前記少なくとも１つのコンピュータにさせるためのコードと、
前記３個のベクトルの各々における前記変調シンボルを前記３個のタイルのうちの１つの異なるタイルにおける複数のサブキャリアにマップすることを前記少なくとも１つのコンピュータにさせるためのコードと、
前記シグナリング値を搬送するために前記３個のタイルで前記マップされた変調シンボルを送信することを前記少なくとも１つのコンピュータにさせるためのコードと
を備えた請求項２６に記載のコンピュータプログラム製品。
【請求項２８】
前記コンピュータ可読媒体は、
前記シグナリング値が肯定応答（ＡＣＫ）を備える場合、ＡＣＫのために前記加入者局によって使用可能な変調シンボルの３個のベクトルを前記送信する変調シンボルの３個のベクトルとして選択することを前記少なくとも１つのコンピュータにさせるためのコードと、
前記シグナリング値が否定応答（ＮＡＫ）を備える場合、ＮＡＫのために前記加入者局によって使用可能な変調シンボルの３個のベクトルを前記送信する変調シンボルの３個のベクトルとして選択することを前記少なくとも１つのコンピュータにさせるためのコードと
を備えた請求項２７に記載のコンピュータプログラム製品。
【請求項２９】
前記コンピュータ可読媒体は、
複数の可能なシグナリング値の間から前記シグナリング値を決定することを前記少なくとも１つのコンピュータにさせるためのコードと、
前記複数の可能なシグナリング値に関して変調シンボルの少なくとも１つのベクトルの複数のセットの間から前記送信する変調シンボルの少なくとも１つのベクトルを決定することを前記少なくとも１つのコンピュータにさせるためのコードと
を備えた請求項２６に記載のコンピュータプログラム製品。
【請求項３０】
少なくとも１つのタイルから受信シンボルの少なくとも１つのベクトルを取得し、前記少なくとも１つのタイルで複数の加入者局の各々によって送信された変調シンボルの少なくとも１つのベクトルのセットを判定するために前記受信シンボルの少なくとも１つのベクトルを処理し、前記少なくとも１つのタイルで前記加入者局によって送信されたと判定された前記変調信号の少なくとも１つのベクトルのセットに基づいて前記複数の加入者局の各々によって送信されたシグナリング値を判定するように構成された少なくとも１つのプロセッサと、
前記少なくとも１つのプロセッサに接続されたメモリと、
を備えた無線通信装置。
【請求項３１】
変調シンボルの複数のベクトルは、各タイルで前記複数の加入者局によって送信され、かつ互いに直交している請求項３０に記載の無線通信装置。
【請求項３２】
前記受信されたシンボルの各ベクトルが８個の受信シンボルを備え、
前記少なくとも１つのプロセッサは、前記少なくとも１つのタイルのうちの１つの異なるタイルにおける８個のサブキャリアから前記８個の受信シンボルの少なくとも１つのベクトルの各々を取得するように構成されている請求項３０に記載の無線通信装置。
【請求項３３】
前記少なくとも１つのプロセッサは、
３個のタイルから受信シンボルの３個のベクトルを取得し、
前記３個のタイルで前記複数の加入者局の各々によって送信された変調シンボルの３個のベクトルのセットを判定するために前記受信シンボルの３個のベクトルを処理し、
前記３個のタイルで前記加入者局によって送信されたと判定された変調シンボルの３個のベクトルの前記セットに基づいて前記複数の加入者局の各々によって送信された前記シグナリング値を判定するように構成されている請求項３０に記載の無線通信装置。
【請求項３４】
各加入者局に関して前記少なくとも１つのプロセッサは、
第１の値を取得するために前記受信シンボルの３個のベクトルを肯定応答（ＡＣＫ）のために前記加入者局によって使用可能な変調シンボルの３個のベクトルに相関させ、
第２の値を取得するために前記受信シンボルの３個のベクトルを否定応答（ＮＡＫ）のために前記加入者局によって使用可能な変調シンボルの３個のベクトルに相関させ、
前記第１、第２の値に基づいてＡＣＫまたはＮＡＫが前記加入者局によって送信されたかどうかを判定するように構成されている請求項３３に記載の無線通信装置。
【請求項３５】
各加入者局からの前記シグナリング値は、各可能なシグナリング値が前記少なくとも１つのタイルで前記加入者局によって送信する変調シンボルの少なくとも１つのベクトルの異なる１セットに関連している複数の可能なシグナリング値の１つである請求項３０に記載の無線通信装置。
【請求項３６】
各加入者局に関して前記少なくとも１つのプロセッサは、
前記受信シンボルの少なくとも１つのベクトルを前記複数の可能なシグナリング値に関して前記加入者局によって使用可能な変調シンボルの少なくとも１つのベクトルの複数のセットの各々に相関させ、
前記変調シンボルの少なくとも１つのベクトルの複数のセットに関する相関結果に基づいて前記加入者局によって送信された前記シグナリング値を判定するように構成されている請求項３５に記載の無線通信装置。
【請求項３７】
少なくとも１つのタイルから受信シンボルの少なくとも１つのベクトルを取得すること、
前記少なくとも１つのタイルで複数の加入者局の各々によって送信された変調シンボルの少なくとも１つのベクトルのセットを判定するために前記受信シンボルの少なくとも１つのベクトルを処理すること、
前記少なくとも１つのタイルで前記加入者局によって送信されたと判定された前記変調シンボルの少なくとも１つのベクトルのセットに基づいて前記複数の加入者局の各々によって送信されたシグナリング値を判定すること
を有する無線通信方法。
【請求項３８】
前記受信シンボルの少なくとも１つのベクトルを取得することは、３個のタイルから受信シンボルの３個のベクトルを取得することを有し、
前記受信シンボルの少なくとも１つのベクトルを処理することは、前記３個のタイルで前記複数の加入者局の各々によって送信された変調シンボルの３個のベクトルのセットを判定するために前記受信シンボルの３個のベクトルを処理することを有し、
前記シグナリング値を判定することは、前記３個のタイルで前記加入者局によって送信されたと判定された変調シンボルの３個のベクトルの前記セットに基づいて前記複数の加入者局の各々によって送信された前記シグナリング値を判定することを有する請求項３７に記載の無線通信方法。
【請求項３９】
前記受信シンボルの３個のベクトルを処理することは、
各加入者局に関して、第１の値を取得するために肯定応答（ＡＣＫ）のために前記加入者局によって使用可能な変調シンボルの３個のベクトルに前記受信シンボルの３個のベクトルを相関させること、
第２の値を取得するために否定応答（ＮＡＫ）のために前記加入者局によって使用可能な変調シンボルの３個のベクトルに前記受信シンボルの３個のベクトルを相関させること、
前記第１、第２の値に基づいてＡＣＫまたはＮＡＫが前記加入者局によって送信されたかどうかを判定すること
を備えた請求項３８に記載の無線通信方法。
【請求項４０】
前記受信シンボルの少なくとも１つのベクトルを処理することは、
各加入者局に関して、前記受信シンボルの少なくとも１つのベクトルを複数の可能なシグナリング値に関して前記加入者局によって使用可能な変調シンボルの少なくとも１つのベクトルの複数のセットの各々に相関させること、
前記変調シンボルの少なくとも１つのベクトルの複数のセットに関する相関結果に基づいて前記加入者局によって送信された前記シグナリング値を判定すること
を備えた請求項３７に記載の無線通信方法。
【発明の詳細な説明】
【優先権の主張】
【０００１】
本願は本願の譲受人に譲渡され、２００７年３月１２日に出願され、“ACKNOWLEDGEMENT TRANSMISSION AND RECEPTION IN WIRELESS COMMUNICATION SYSTEMS”と題する米国仮出願第６０／８９４，３７９の優先権を主張する。
【技術分野】
【０００２】
本開示は、一般的には通信に関し、特に、無線通信システムでのシグナリング（signaling）を送信及び受信するための技術に関する。
【背景技術】
【０００３】
無線通信システムは、音声、映像、パケットデータ、メッセージング（messaging）、放送などの各種の通信コンテンツを提供するために広く利用されている。これらの無線システムは、入手可能なシステムリソースを共用することによって、複数のユーザをサポートすることができる多重接続（multiple-access）システムであることが可能である。このような多重接続システムの例としては、符号分割多重接続（Code Division Multiple Access: ＣＤＭＡ）システム、時間分割多重接続（Time Division Multiple Access: ＴＤＭＡ）システム、周波数分割多重接続（Frequency Division Multiple Access: ＦＤＭＡ）システム、直交ＦＤＭＡ（ＯＦＤＭＡ）システム、及び単一キャリアＦＤＭＡ（ＳＣ−ＦＤＭＡ）システムが含まれる。
【０００４】
無線通信システムは、任意数の加入者局の通信をサポートできる相当数の基地局を含み得る。加入者局は、ダウンリンク及びアップリンクを介して基地局と通信することができる。ダウンリンク（あるいは順方向リンク）は基地局から加入者局への通信リンクを指し、アップリンク（あるいは逆方向リンク）は加入者局から基地局への通信リンクを指す。
【０００５】
無線通信システムは、ハイブリッド自動再送信（HARQ : hybrid automatic retransmission）をサポートし得る。ＨＡＲＱによるダウンリンク上でのデータ伝送の場合、基地局はパケットに関する伝送情報を加入者局に送信することができる。加入者局は、この送信に基づいてパケットをデコードし、当該パケットが正確にデコードされた場合には肯定応答（ACK : acknowledgement）を送信し、かつ当該パケットが誤ってデコードされた場合には否定応答（NAK : negative acknowledgement）を送信することができる。基地局は、ＮＡＫを受信した場合には当該パケットのためにもう１度伝送情報を送信し、ＡＣＫを受信した場合には当該パケット送信を終了することができる。ＡＣＫ／ＮＡＫフィードバックは有用であるが、アップリンク上のリソースを消費する。従って、ＡＣＫ／ＮＡＫフィードバックをできるだけ効率的に送信することが望ましい。
【発明の概要】
【０００６】
本明細書では、無線通信システムにおいて、シグナリング（例えば、ＡＣＫ／ＮＡＫなど）の送受信技術を説明する。一設計では、変調シンボルの複数の（例えば８個の）ベクトルを定義し、また相互に直交していることが可能である。１つのベクトルでの変調シンボルは、一つのタイル（tile）で複数のサブキャリア上を送信することができる。
【０００７】
一態様では、複数の加入者局は、送信リソースを共用することが可能であり、同一タイルで変調シンボルの異なるベクトルを同時に送信することができる。各加入者局は、シグナリングを伝達するために、その加入者局により使用可能な変調シンボルで少なくとも１つのベクトルの複数セットを割り当てることができる。各加入者局は、シグナリング値を伝達するために、少なくとも１つのタイルで少なくとも１つのベクトルの１セットを送信することができる。異なる複数の加入者局は、これらの加入者局のシグナリング値を伝達するために、少なくとも１つのタイルで少なくとも１つのベクトルの異なるセットを同時に送信することができる。
【０００８】
一設計では、加入者局は、１つのシグナリング値（例えばＡＣＫまたはＮＡＫ）に関して少なくとも１つのタイル（例えば３個のタイル）で送信する変調シンボルの少なくとも１つのベクトル（例えば３個のベクトル）を決定できる。加入者局は、各ベクトルの変調シンボルを１つの異なるタイルにおける複数のサブキャリアにマップ（写像）することができる。加入者局は、このシグナリング値を伝達するために、少なくとも１つのタイルでこれらのマップされた変調シンボルを送信できる。一設計では、加入者局は、ＡＣＫのために加入者局によって使用可能な３個のベクトルの第１のセットを、ＮＡＫのために加入者局によって使用可能な３個のベクトルの第２のセットを決定できる。加入者局は、シグナリング値がＡＣＫを備える場合に第１のベクトルセットを送信でき、またシグナリング値がＮＡＫを備える場合に第２のベクトルセットを送信できる。
【０００９】
一設計では、基地局は、少なくとも１つのタイル（例えば３個のタイル）から受信シンボルの少なくとも３個のベクトル（例えば３個のベクトル）を取得できる。基地局は、少なくとも１つのタイルで複数の加入者局の各々によって送信された変調シンボルの少なくとも１つのベクトルの１セットを判定するために、受信シンボルの少なくとも１つのベクトルを処理することができる。次に、基地局は、この加入者局によって送信されたと判定された少なくとも１つのベクトルのセットに基づいて、各加入者局によって送信されたシグナリング値を判定できる。一設計では、各加入者局に関して基地局は、第１の値を取得するためにＡＣＫに関してこの加入者局によって使用可能な変調シンボルの３個のベクトルに対して、受信シンボルの３個のベクトルを相関させることができる。基地局は、第２の値を取得するためにＮＡＫに関して加入者局によって使用可能な変調シンボルの３個のベクトルに対して、受信シンボルの３個のベクトルを相関させることも可能である。次に、基地局は、これらの第１、第２の値に基づいてＡＣＫまたはＮＡＫが加入者局によって送信されたか否かを決定することができる。
【００１０】
本開示の種々の態様および特徴を、以下でさらに詳細に説明する。
【図面の簡単な説明】
【００１１】
【図１】無線通信システムを示す図。
【図２】一例のフレーム構造を示す図。
【図３】サブキャリアの部分的使用（ＰＵＳＣ）のためのサブキャリア構造を示す図。
【図４Ａ】ＰＵＳＣ用のアップリンクＡＣＫチャネルのためのタイル構造を示す図。
【図４Ｂ】任意選択的ＰＵＳＣ用のアップリンクＡＣＫチャネルのためのタイル構造を示す図。
【図５】ＱＰＳＫのための信号形態を示す図。
【図６】加入者局によるシグナリングを送信するプロセスを示す図。
【図７】シグナリングを送信する装置を示す図。
【図８】基地局によるシグナリングを受信するプロセスを示す図。
【図９】シグナリングを受信する装置を示す図。
【図１０】基地局及び加入者局のブロック図。
【詳細な説明】
【００１２】
本明細書で説明する技術は、ＣＤＭＡシステム、ＴＤＭＡシステム、ＦＤＭＡシステム、ＯＦＤＭＡシステム、及びＳＣ−ＦＤＭＡシステムのような種々の無線通信システムに適用可能である。用語「システム」及び「ネットワーク」は、多くの場合に交換可能に使用される。ＣＤＭＡシステムは、ｃｄｍａ２０００やＵＴＲＡ(Universal Terrestrial Radio Access)などのような無線技術を実現することができる。ＯＦＤＭＡシステムは、ＵＭＢ(Ultra Mobile Broadband)や、Ｅ−ＵＴＲＡ(Evolved UTRA)、ＩＥＥＥ８０２．１１（またはＷｉ−Ｆｉとも呼ばれる）、ＩＥＥＥ８０２．１６（またはＷｉＭＡＸとも呼ばれる）、ＩＥＥＥ８０２．２０、Ｆｌａｓｈ−ＯＦＤＭ（登録商標）などのような無線技術を実現することができる。これらの種々の無線技術及び規格は周知である。
【００１３】
明確にするために、これらの技術の種々の態様は、２００４年１０月１日付けの「Part 16: Air Interface for Fixed and Mobile Broadband Wireless Access Systems（パート１６：固定および移動広帯域無線接続システムのための無線インタフェース）」と題されたＩＥＥＥ８０２．１６と、２００６年２月２８日付けの「Part 16: Air Interface for Fixed and Mobile Access Broadband Wireless Access Systems Amendment 2: Physical and Medium Access Control Layers for Combined Fixed and Mobile Operation in Licensed Bands（パート１６：固定および移動広帯域無線接続システムのための無線インタフェース改訂版２：認可帯域における固定および移動併用動作のための物理層および媒体アクセス制御層）」と題されたＩＥＥＥ８０２．１６ｅとにカバーされたＷｉＭＡＸに関して以下で説明する。これらの文書は、公表されている。これらの技術はまた、ＷｉＭＡＸのために開発されている新しい無線インタフェースであるＩＥＥＥ８０２．１６ｍにも使用することができる。
【００１４】
図１は、複数の基地局（ＢＳ）１１０と複数の加入者局（ＳＳ）１２０とを有する無線通信システム１００を示す。基地局は、加入者局のために通信をサポートする局であって、加入者局の接続性、管理および制御のような機能を実行できる。基地局はまた、ノードＢ、エボルブド（evolved）ノードＢ、アクセスポイントなどとも呼ばれる。システムコントローラ１３０は、基地局１１０に接続することができ、これらの基地局のために調整と制御を提供できる。
【００１５】
加入者局１２０は、このシステム全体に亘って分散配置されることが可能であり、各加入者局は固定型または移動型であり得る。加入者局はまた、移動局、端末、アクセス端末、ユーザ装置、加入者装置、局などとも呼ばれ得る。加入者局は、携帯電話、携帯情報端末（ＰＤＡ:personal digital assistant）、無線デバイス、無線モデム、ハンドヘルドデバイス、ラップトップコンピュータ、コードレス電話などであり得る。用語「加入者局」および「ユーザ」は、ここでは交換可能に使用される。
【００１６】
ＩＥＥＥ８０２．１６は、ダウンリンクおよびアップリンクのために直交周波数分割多重化方式（ＯＦＤＭ）を利用する。ＯＦＤＭは、システム帯域幅をトーン、ビンなどとも呼ばれ得る複数の（ＮＦＦＴ個の）直交サブキャリアに分割する。各サブキャリアは、データまたはパイロットと共に変調され得る。サブキャリアの数は、システム帯域幅ならびに隣接サブキャリア間の間隔に依存し得る。例えば、ＮＦＦＴは、１２８、２５６、５１２、１０２４または２０４８に等しくてもよい。ＮＦＦＴ個の全サブキャリアのサブセットだけがデータおよびパイロットの送信のために使用可能であり、残りのサブキャリアはシステムがスペクトルのマスク要件を満たすことを可能にするためのガードサブキャリアとして機能し得る。下記の説明において、データサブキャリアはデータのために使用されるサブキャリアであり、パイロットサブキャリアはパイロットのために使用されるサブキャリアである。ＯＦＤＭシンボルは、各ＯＦＤＭシンボル周期（あるいは単にシンボル周期）内で送信され得る。各ＯＦＤＭシンボルは、データを送信するために使用されるデータサブキャリア、パイロットを送信するために使用されるパイロットサブキャリア、及びデータまたはパイロットにも使用されないガードサブキャリアを含み得る。
【００１７】
図２は、ＩＥＥＥ８０２．１６における時分割二重（ＴＤＤ）モードのための一例のフレーム構造２００を示す。送信タイムラインは、フレーム単位に分割され得る。各フレームは、予め決められた持続時間、例えば５ミリ秒（ｍｓ）に亘り、ダウンリンクサブフレームとアップリンクサブフレームとに分割され得る。一般に、ダウンリンクサブフレームおよびアップリンクサブフレームは、１フレームの如何なる分数でもカバーし得る。ダウンリンクサブフレームとアップリンクサブフレームは、送信伝送ギャップ（ＴＴＧ）と受信伝送ギャップ（ＲＴＧ）とによって分離され得る。
【００１８】
多数の物理サブチャネルが定義され得る。各物理サブチャネルは、システム帯域幅に亘って連続している、または分散配置されているサブキャリアのセットを含み得る。多数の論理サブチャネルも定義されることが可能であり、既知のマッピングに基づいて物理サブチャネルにマップされ得る。論理サブチャネルは、リソースの割当てを単純化し得る。
【００１９】
図２に示すように、ダウンリンクサブフレームは、プリアンブル、フレーム制御ヘッダ（ＦＣＨ）、ダウンリンクマップ（ＤＬ−ＭＡＰ）、アップリンクマップ（ＵＬ−ＭＡＰ）、およびダウンリンク（ＤＬ）バーストを含み得る。プリアンブルは、フレーム検出および同期化のために加入者局によって使用され得る既知の伝送情報を搬送し得る。ＦＣＨは、ＤＬ−ＭＡＰ、ＵＬ−ＭＡＰおよびダウンリンクバーストを受信するために使用されるパラメータを搬送し得る。ＤＬ−ＭＡＰは、ダウンリンクアクセスのための種々のタイプの制御情報（例えばリソース割当て（allocation or assignment））のための情報要素（ＩＥ）を含み得るＤＬ−ＭＡＰメッセージを搬送し得る。ＵＬ−ＭＡＰは、アップリンクアクセスのための種々のタイプの制御情報のためのＩＥを含み得るＵＬ−ＭＡＰメッセージを搬送し得る。ダウンリンクバーストは、サービス提供されている加入者局に関するデータを搬送し得る。アップリンクサブフレームは、アップリンク送信のためにスケジュールされた加入者局によって送信されるデータを搬送し得るアップリンクバーストを含み得る。
【００２０】
図３は、ＩＥＥＥ８０２．１６におけるアップリンク上のＰＵＳＣのためのサブキャリア構造３００を示す。使用可能なサブキャリアは、Ｎｔｉｌｅｓ個の物理タイルに分割され得る。各物理タイルは、３個のＯＦＤＭシンボルの各々に４個のサブキャリアをカバーすることが可能であり、全部で１２個のサブキャリアを含み得る。各物理タイルは、このタイルの４つのコーナに４個のパイロットサブキャリア、およびこのタイルの残りの８箇所に８個のデータサブキャリアを含み得る。任意選択的ＰＵＳＣ（図３には図示せず）の場合、各物理タイルは、３個のＯＦＤＭシンボルの各々において３個のサブキャリアをカバーでき、全部で９個のサブキャリアを含み得る。各物理タイルは、このタイルの中心に１個のパイロットサブキャリアを、またこのタイルの残り８箇所に８個のデータサブキャリアを含み得る。ＰＵＳＣおよび任意選択的ＰＵＳＣの両方に関して、データ変調シンボルは各データサブキャリア上で送信されることが可能であり、パイロット変調シンボルは各パイロットサブキャリア上で送信され得る。
【００２１】
多数の論理タイルが定義されることが可能であり、既知のマッピングに基づいて物理タイルにマップされ得る。サブチャネルは、タイル（０）からタイル（５）とラベル付けされた６個のタイルによって形成され得る。アップリンクＡＣＫチャネルは、ＰＵＳＣの場合３個の４×３タイルまたは任意選択的ＰＵＳＣの場合３個の３×３タイルを備え得る半サブチャネル（half subchannel）を占め得る。アップリンクＡＣＫチャネルは、偶数半サブチャネルを占めることが可能であり、この場合、タイル（０）、タイル（２）およびタイル（４）を含む。あるいは、アップリンクＡＣＫチャネルは、奇数半サブチャネルを占めることが可能であり、この場合、タイル（１）、タイル（３）およびタイル（５）を含む。アップリンクＡＣＫチャネルのために使用されるこれらのタイルは、ＡＣＫリソース、伝送リソース、時間周波数リソースなどとも呼ばれ得る。
【００２２】
図４Ａは、ＰＵＳＣの場合のアップリンクＡＣＫチャネルのためのタイル構造４１０を示す。８個の変調シンボルは、１つの４×３タイルで８個のデータサブキャリア４１２ａ〜４１２ｈ上を送信され得る。これらの８個の変調シンボルは、０≦ｋ≦７としてＭｎ，８ｍ＋ｋと表され得る。ここで、Ｍｎ，８ｍ＋ｋは、第ｎ番目のアップリンクＡＣＫチャネルの第ｍ番目のタイルにおける第ｋ番目の変調シンボルの変調シンボルインデックスである。パイロット変調シンボルは、このタイルの４つのコーナに位置する４個のパイロットサブキャリア４１４ａ〜４１４ｄ上で送信され得る。
【００２３】
図４Ｂは、任意選択的ＰＵＳＣの場合のアップリンクＡＣＫチャネルのためのタイル構造４２０を示す。８個の変調シンボルは、１つの３×３タイルで８個のデータサブキャリア４２２ａ〜４２２ｈ上を送信され得る。これらの８個の変調シンボルは、０≦ｋ≦７としてＭｎ，８ｍ＋ｋと表現できる。１つのパイロット変調シンボルは、このタイルの中心に位置する１個のパイロットサブキャリア４２４上を送信され得る。
【００２４】
アップリンクＡＣＫチャネルの場合、８個の直交ベクトルが定義されて、Ｖ０〜Ｖ７と表され得る。各ベクトルは、１つのタイルで８個のデータサブキャリア上を送信される８個の変調シンボルを含み得る。これらの８個のベクトルＶ０〜Ｖ７は互いに直交しており、以下のように表現できる。
【数１】
2010521886.tif 000003
【００２５】
ここで、式中の「Ｈ」は共役転置を表す。
【００２６】
図５は、ＩＥＥＥ８０２．１６における四位相偏移変調（ＱＰＳＫ）のための一例の信号配置を示す。この信号配置は、ＱＰＳＫのための４個の可能な変調シンボルに対応する４個の信号ポイントを含む。各変調シンボルは、形式ｘｉ+ｊｘｑの複素値であって、ｘｉは実数成分であり、ｘｑは虚数成分である。実数成分ｘｉは−１．０または＋１．０いずれかの値を持ち、虚数成分ｘｑもまた−１．０または＋１．０いずれかの値を持ち得る。４個の変調シンボルは、図５に示すように、Ｐ０、Ｐ１、Ｐ２およびＰ３と表される。
【００２７】
８個のベクトルＶ０〜Ｖ７は、ＱＰＳＫ変調シンボルＰ０、Ｐ１、Ｐ２およびＰ３の８個の異なる順列または数列によって形成され得る。表１は、一設計による８個のベクトルＶ０〜Ｖ７の各々における８個の変調シンボルを与える。
【表１】
2010521886.tif 000004
【００２８】
加入者局あるいはユーザは、基地局から受信されたデータパケットに関してＡＣＫまたはＮＡＫを送信できる。このＡＣＫまたはＮＡＫは、８個の変調シンボルの３個のベクトルのセットを使用して送信され、各ベクトルは１つのタイルで送信され得る。ＡＣＫまたはＮＡＫは、表２に示すように、３個のベクトルにマップされ得る。
【表２】
2010521886.tif 000005
【００２９】
表２に示す設計では、ユーザは、ＡＣＫを搬送するためにアップリンクＡＣＫチャネルに関して第１のタイルでベクトルＶ０を、第２のタイルでベクトルＶ０を、第３のタイルでベクトルＶ０を送信し得る。ユーザは、ＮＡＫを搬送するために第１のタイルでベクトルＶ４を、第２のタイルでベクトルＶ７を、第３のタイルでベクトルＶ２を送信し得る。基地局は、以下に説明するように、これらの３個のタイルにおける受信シンボルをベクトルＶ０、Ｖ０、Ｖ０に、またベクトルＶ４、Ｖ７、Ｖ２に相関させることによってユーザからのＡＣＫまたはＮＡＫに関して検出できる。
【００３０】
１人のユーザは、表２に示すように、アップリンクＡＣＫチャネルを割り当てられて、このアップリンクＡＣＫチャネル上でＡＣＫまたはＮＡＫを送信できる。この場合、各タイルにおいて２個のベクトルだけが、すなわち第１のタイルでベクトルＶ０およびＶ４が、第２のタイルでベクトルＶ０およびＶ７が、第３のタイルでＶ０およびＶ２が使用される。各タイルに関して、残り６個のベクトルは使用されない。
【００３１】
一態様では、最大４人のユーザが１つのアップリンクＡＣＫチャネルを共用することができ、また同じ３個のタイルでこれらのユーザのＡＣＫ／ＮＡＫを同時に送信することができる。各ユーザは、各ベクトルが任意の所定のタイルで最大１人のユーザによって使用されるように、各タイルで異なるペアのベクトルを使用し得る。これらの８個のベクトルは互いに直交しているので、チャネル応答が各タイルに亘って比較的フラットであるときに性能上ほとんど、あるいはまったく劣化なしに同じアップリンクＡＣＫチャネル上で最大４人のユーザが多重化され得る。
【００３２】
一設計では、表３に示すように、最大４人のユーザが同じアップリンクＡＣＫチャネル上でＡＣＫ／ＮＡＫを同時に送信することができる。
【表３】
2010521886.tif 000006
【００３３】
表３に示す設計では、各ユーザは、ＡＣＫ／ＮＡＫを送信するために２個のベクトルを割り当てられ得る。一方のベクトルはＡＣＫを伝達するためにアップリンクＡＣＫチャネルのための３個のタイルの各々で送信されることが可能であり、他方のベクトルはＮＡＫを伝達するために、これらの３個のタイルの各々で送信され得る。例えば、あるユーザはベクトルＶ４およびＶ５を割り当てられ得る。このユーザは、ＡＣＫを伝達するために、これらの３個のタイルの各々でベクトルＶ４を送信し、またＮＡＫを伝達するために、これらの３個のタイルの各々でベクトルＶ５を送信し得る。
【００３４】
他の設計では、表４に示すように、同じアップリンクＡＣＫチャネル上で最大４人のユーザがＡＣＫ／ＮＡＫを同時に送信することができる。この設計では、ユーザ１は、表２に示されたベクトルを使用してＡＣＫ／ＮＡＫを送信することができる。ユーザ２、３および４は、各タイルでユーザ１によって使用されない他のベクトルを使用してＡＣＫ／ＮＡＫを送信することができる。
【表４】
2010521886.tif 000007
【００３５】
表４に示す設計では、各ユーザは、ＡＣＫ／ＮＡＫを送信するために３個のベクトルの２セットを割り当てられ得る。一方の３個のベクトルのセットは、ＡＣＫを伝達するためにアップリンクＡＣＫチャネルのための３個のタイルで送信されることが可能であり、他方の３個のベクトルのセットはＮＡＫを伝達するために、これらの３個のタイルで送信され得る。例えば、あるユーザは、ＡＣＫのために第１のセットのベクトルＶ３、Ｖ３、Ｖ３を、ＮＡＫのために第２のセットのベクトルＶ７、Ｖ２、Ｖ４を割り当てられ得る。このユーザは、ＡＣＫを伝達するために、これらの３個のタイルで第１のセットのベクトルＶ３、Ｖ３、Ｖ３を送信することができ、ＮＡＫを搬送するために、これらの３個のタイルで第２のセットのベクトルＶ７、Ｖ２、Ｖ４を送信することができる。
【００３６】
表３及び表４は、同じアップリンクＡＣＫチャネル上で最大４人のユーザを多重化する２つの例示的な設計を示している。最大４人のユーザはまた、ＡＣＫ／ＮＡＫを送信するために各ユーザへの異なるベクトル割当てを有する他の設計に基づいて多重化されてもよい。
【００３７】
図４Ａに示すタイル構造４１０の場合、各タイルで４個のパイロットサブキャリアが使用可能である。これらの４個のパイロットサブキャリアは、基地局がユーザに関するチャネル推定および／または干渉推定を実行することを可能にするために種々の仕方で使用され得る。
【００３８】
一設計では、各ユーザは、各タイルにおける１つのパイロットサブキャリアを割り当てられ得る。例えば、ユーザ１は図４Ａのパイロットサブキャリア４１４ａを割り当てられ、ユーザ２はパイロットサブキャリア４１４ｂを割り当てられ、ユーザ３はパイロットサブキャリア４１４ｃを割り当てられ、ユーザ４はパイロットサブキャリア４１４ｄを割り当てられ得る。各ユーザは、各ユーザの割り当てられたパイロットサブキャリア上で１つのパイロット変調シンボルを送信し得る。基地局は、このユーザから受信されたパイロット変調シンボルに基づいて各ユーザに関するチャネル推定値を導き出し得る。
【００３９】
他の設計では、各ベクトルが４個の変調シンボルを含む４個の直交ベクトルＷ０〜Ｗ３が定義され得る。例えば、ベクトルＷ０は変調シンボルＰ０、Ｐ０、Ｐ０、Ｐ０を含み、ベクトルＷ１は変調シンボルＰ０、Ｐ２、Ｐ０、Ｐ２を含み、ベクトルＷ２は変調シンボルＰ０、Ｐ１、Ｐ２、Ｐ３を含み、ベクトルＷ３は変調シンボルＰ１、Ｐ０、Ｐ３、Ｐ２を含み得る。各ユーザは、これらの４個のベクトルのうちの１つを割り当てられ、４個のパイロットサブキャリア上で各ユーザの割り当てられたベクトル内の４個の変調シンボルを送信し得る。基地局は、このユーザによって送信された４個の変調シンボルのベクトルに基づいて各ユーザに関するチャネル推定値を導き出し得る。
【００４０】
さらに他の設計では、４個のパイロットサブキャリアはユーザに割り当てられず、信号はこれらのパイロットチャネル上で送信されない。基地局は、４個のパイロットサブキャリアから受信された４個のシンボルに基づいてタイルの干渉を推定し得る。基地局は、以下に説明するように、検出のために干渉推定値を使用し得る。
【００４１】
図４Ｂに示す構造４２０の場合、各タイルにおいて１つのパイロットサブキャリアが使用可能である。一設計では、このパイロットサブキャリアは如何なるユーザにも割り当てられず、干渉推定のために基地局によって使用され得る。
【００４２】
他の設計では、Ｍ＞８として各ベクトルが１２個の変調シンボルを含むＭ個の直交ベクトルが定義され得る。各ユーザが各タイルに関して異なる１対のベクトルを割り当てられるものとして最大Ｍ／２人のユーザが１つのアップリンクＡＣＫチャネルを共用し得る。各ユーザは、ＡＣＫのために１つのタイルの１２個のサブキャリア上で１つのベクトル内の１２個の変調シンボルを送信することができ、ＮＡＫのために１２個のサブキャリア上で別のベクトル内の１２個の変調シンボルを送信することができる。
【００４３】
一般に、任意数の直交ベクトルが定義可能であり、各タイルにおけるサブキャリアの数によって制限され得る。各ベクトルは、ＡＣＫ／ＮＡＫを送信するために使用される各サブキャリアのために１つの変調シンボルを含み得る。これらの変調シンボルは、ＱＰＳＫまたは何か他の変調方式からのものであり得る。各ベクトルは、タイルを共用するすべてのユーザの間で直交性を達成するために任意の所定のタイルにおいて１人のユーザのみに割り当てられ得る。所定のタイルを共用し得るユーザの数は、直交ベクトルの数によって制限される。
【００４４】
各ユーザは、アップリンクＡＣＫチャネルに関して２セットのベクトルを、すなわちＡＣＫを送信するための１セットのベクトルとＮＡＫを送信するためのもう１セットのベクトルとを割り当てられ得る。各セットは、ＡＣＫ／ＮＡＫを送信するために使用される各タイルの１つのベクトルを含み得る。前述の設計では、ＡＣＫ／ＮＡＫを送信するために３個のタイルが使用され、各セットは３個のベクトルを含み得る。
【００４５】
ユーザは、種々の仕方でＡＣＫ／ＮＡＫのために１つのアップリンクＡＣＫチャネルと２セットのベクトルとを割り当てられ得る。一設計では、ＡＣＫ割当ては、暗示的であって、例えばデータをユーザに送信するために使用されるダウンリンクリソースに基づいて決定され得る。この設計では、ダウンリンクリソースは、基地局とユーザとによって先験的に知られているマッピングに基づいて特定のアップリンクＡＣＫチャネルと特定の２セットのベクトルとにマップされ得る。次にユーザは、これらの特定の２セットのベクトルを使用して、この特定のアップリンクＡＣＫチャネル上でＡＣＫ／ＮＡＫを送信し得る。この設計は、割り当てられたアップリンクＡＣＫチャネルと２セットのベクトルとを伝達するために、ダウンリンク上でシグナリングを明示的に送信せざるを得ない状況を回避し得る。他の設計では、ＡＣＫ割当ては明示的であって、ダウンリンク上で送信されるＵＬ−ＭＡＰメッセージまたは何か他のシグナリングによって指示され得る。
【００４６】
複数のユーザがアップリンクＡＣＫチャネルを共用することができ、同じセットのタイル上でＡＣＫ／ＮＡＫを送信し得る。基地局は、各タイルにおける８個のデータサブキャリア上で８個のシンボルを受信できる。パイロット変調シンボルがユーザによって送信されない場合、基地局は、ＡＣＫまたはＮＡＫが各ユーザによって送信されたか否かを判定するために、受信シンボルに対して非コヒーレント検出を実行し得る。非コヒーレント検出は、パイロット参照の助けなしの検出を指す。基地局は、以下の通りに、３個のタイルの受信シンボルの３個のベクトルを各ユーザｑによって、アップリンクＡＣＫチャネル上で送信されることができた各セットのベクトルに相関させることによりアップリンクＡＣＫチャネルに関して非コヒーレント検出を実行し得る。
【数２】
2010521886.tif 000008
【数３】
2010521886.tif 000009
【００４７】
ここで、Ｒｍは第ｍ番目のタイルからの受信シンボルのベクトルであり、Ｖｑａ，ｍはＡＣＫのために第ｍ番目のタイル上でユーザｑによって送信されたベクトルであり、Ｖｑｎ，ｍはＮＡＫのために第ｍ番目のタイル上でユーザｑによって送信されたベクトルであり、Ｇｍは第ｍ番目のタイルに関する拡大縮小係数であり、Ａｑはユーザｑに関するＡＣＫのための測定基準値であり、Ｎｑはユーザｑに関するＮＡＫのための測定基準値である。
【００４８】
一例として、表４に示す設計におけるユーザ１の場合、Ｖｑａ，ｍはそれぞれｍ＝１、２、３のときＶ０、Ｖ０、Ｖ０に等しく、Ｖｑｎ，ｍはそれぞれｍ＝１、２、３のときＶ４、Ｖ７、Ｖ２に等しい。拡大縮小係数Ｇｍは、第ｍ番目のタイルに関して得られた干渉推定値に基づいて決定され得る。Ｇｍは、大きな干渉を有するタイルからの受信シンボルがより小さな重さを与えられ、逆も同様であるように干渉の大きさに反比例し得る。基地局は、各ユーザｑに関してＡｑとＮｑの１対を取得し得る。次に基地局は、以下のようにＡＣＫまたはＮＡＫがユーザｑによって送信されたか否かを判定し得る。
【数４】
2010521886.tif 000010
【００４９】
仮にＡｑ＞Ｎｑのとき、ユーザｑによってＡＣＫが送信されたと宣言する。またＡｑ＞Ｎｑでないとき、ユーザｑによってＮＡＫが送信されたと宣言する。
【００５０】
各ユーザから少なくとも１つのパイロット変調シンボルが受信された場合、基地局は、ＡＣＫまたはＮＡＫが各ユーザによって送信されたか否かを判定するために、受信シンボルに対してコヒーレント検出を実行し得る。コヒーレント検出は、パイロット参照の助けを有する検出を指す。一設計では、基地局は、以下のように各ユーザｑに関してコヒーレント検出を実行し得る。
【数５】
2010521886.tif 000011
【数６】
2010521886.tif 000012
【００５１】
ここで、Ｈｑ，ｍはユーザｑに関する第ｍ番目のタイルのためのチャネル利得推定値であり、「＊」は複素共役を表す。チャネル利得推定値Ｈｑ，ｍは、第ｍ番目のタイルでユーザｑから受信された１つ以上のパイロット変調シンボルに基づいて求められ得る。
【００５２】
他の設計では、基地局は、以下のように各ユーザｑに関してコヒーレント検出を実行し得る。
【数７】
2010521886.tif 000013
【数８】
2010521886.tif 000014
【００５３】
ここで、Ｈｑ，ｍはユーザｑに関する第ｍ番目のタイルにおけるすべてのデータサブキャリアのための対角線に沿ったチャネル利得推定値を有する対角マトリックスである。Ｈｑ，ｍは第ｍ番目のタイルでユーザｑから受信された１つ以上のパイロット変調シンボルに基づいて求められ得る。
【００５４】
基地局は、各ユーザｑに関してＡｑおよびＮｑを取得し、式（４）に示すように、ＡＣＫまたはＮＡＫがユーザｑによって送信されたかどうかを判定し得る。基地局はまた、受信シンボルのベクトルと変調シンボルのベクトルとの相関付けとシグナリング値の検出とを他の仕方で実行し得る。
【００５５】
本明細書で説明した技術は、上記のようにアップリンク上でＡＣＫ／ＮＡＫを送信するために使用され得る。これらの技術はまた、電力制御情報、チャネル品質情報（ＣＱＩ）、ビーム形成フィードバック情報などといった他のタイプのシグナリングを送信するためにも使用可能である。一般に、ユーザは、Ｌ≧１としてＬ個の可能なシグナリング値のためにＬセットのベクトルを割り当てられ得る。ベクトルの各セットは、コードワード、ベクトル列などと呼ばれ得る。ユーザは、伝達されるシグナリング値について１セットのベクトルを送信することができる。
【００５６】
図６は、無線通信システムにおいてシグナリング（例えばＡＣＫ／ＮＡＫ）を送信するためのプロセス６００の一設計を示す。プロセス６００は、加入者局または何か他のエンティティ（entity）によって実行され得る。加入者局は、１つのシグナリング値について少なくとも１つのタイルで、各タイルにおいて変調シンボルの１つのベクトルとして送信する変調シンボルの少なくとも１つのベクトルを決定できる（ブロック６１２）。変調シンボルのベクトルはまた、変調シンボルの列、変調シンボルのセットなどとも呼ばれ得る。各タイルの変調シンボルのベクトルは、このタイルで少なくとも１つの他の加入者局によって使用可能な変調シンボルの少なくとも１つの他のベクトルに直交していることが可能である。一設計では、各タイルにおいて、加入者局によって送信するベクトルと、少なくとも１つの他の加入者局によって使用可能な少なくとも１つの他のベクトルは、８個の直交ベクトルのグループからのものであり得る。他の設計では、このグループは、これよりも多い、または少ない直交ベクトルを含み得る。
【００５７】
加入者局は、少なくとも１つのベクトルの各々における変調シンボルを少なくとも１つのタイルのうちの異なる１つのタイルにおける複数のサブキャリアにマップし得る（ブロック６１４）。一設計では、各ベクトルは、１つのタイル内の８個のサブキャリアにマップされ得る８個の変調シンボルを含み得る。他の設計では、各ベクトルは、１つのタイル内の１２個のサブキャリアにマップされ得る１２個の変調シンボルを含み得る。各ベクトルはまた、これよりも多い、または少ない変調シンボルを含み得る。各タイルは、任意の形状を有することができ、任意数のサブキャリアを含み得る。加入者局はまた、各タイルにおいて少なくとも１つのパイロット変調シンボルを少なくとも１つのサブキャリアにマップすることができ、あるいは各タイルにおいてパイロット変調シンボルをマップしないこともある。加入者局は、シグナリング値を伝達するために、マップされた変調シンボルを少なくとも１つのタイルで送信し得る（ブロック６１６）。
【００５８】
一設計では、シグナリング値に関して、変調シンボルの３個のベクトルが３個のタイルで送信される。加入者局は、異なるタイル内の複数のサブキャリアに対して各ベクトル内の変調シンボルをマップし得る。次に加入者局は、シグナリング値を伝達するために、マップされた変調シンボルを３個のタイルで送信し得る。これよりも多い、または少ない変調シンボルのベクトルがシグナリング値のために送信されてもよい。
【００５９】
一設計では、シグナリング値は、ＡＣＫまたはＮＡＫを有する。加入者局は、ＡＣＫのために加入者局によって使用可能な変調シンボルの少なくとも１つのベクトルの第１のセット（例えば３個のベクトルの第１のセット）を決定し得る。加入者局はまた、ＮＡＫのために加入者局によって使用可能な変調シンボルの少なくとも１つのベクトルの第２のセット（例えば３個のベクトルの第２のセット）を決定し得る。加入者局は、シグナリング値がＡＣＫを有する場合、送信する変調シンボルの少なくとも１つのベクトルとして第１のベクトルセットを選択し得る。加入者局は、シグナリング値がＮＡＫを有する場合、送信する変調シンボルの少なくとも１つのベクトルとして第２のベクトルセットを選択し得る。
【００６０】
一般的に、加入者局は、複数の可能なシグナリング値の中からシグナリング値を決定し得る。次に加入者局は、複数の可能なシグナリング値に関して、変調シンボルの少なくとも１つのベクトルの複数のセットの中から送信する変調シンボルの少なくとも１つのベクトルを決定し得る。
【００６１】
一設計では、加入者局は、ダウンリンクリソースを介してデータを受信して、これらのダウンリンクリソースに基づいて加入者局によって使用可能な変調シンボルの少なくとも１つのベクトルの複数のセット（例えばＡＣＫのための１つのセットおよびＮＡＫのためのもう１つのセット）を決定し得る。それから加入者局は、シグナリング値に基づいて送信する変調シンボルの少なくとも１つのベクトルとして、複数のベクトルセットの１つを選択し得る。加入者局はまた、ダウンリンクリソースに基づいて使用する少なくとも１つのタイルを決定し得る。
【００６２】
他の設計では、加入者局は、加入者局によって使用可能な変調シンボルの少なくとも１つのベクトルの複数のセットを示すシグナリングを受信し得る。例えば、加入者局は、シグナリングから加入者局の識別子、チャネル識別子または何か他の識別子を取得することができ、この識別子に基づいて加入者局によって使用可能な複数のベクトルセットを決定し得る。加入者局はまた、シグナリングから割当てを取得し、この割当てに基づいて加入者局によって使用可能な複数のベクトルセットを決定し得る。いずれの場合にも加入者局は、シグナリング値に基づいて送信する変調シンボルの少なくとも１つのベクトルとして複数のベクトルセットの１つを選択し得る。
【００６３】
図７は、無線通信システムにおいて、シグナリングを送信するための装置７００の設計を示す。装置７００は、各タイルに変調シンボルの１つのベクトルとして、シグナリング値（例えばＡＣＫまたはＮＡＫ）のために少なくとも１つのタイルで送信する変調シンボルの少なくとも１つのベクトルを決定するためのモジュール７１２と、少なくとも１つのベクトルの各々における変調シンボルを少なくとも１つのタイルのうちの異なる１つのタイル内の複数のサブキャリアにマップするためのモジュール７１４と、シグナリング値を伝達するために少なくとも１つのタイルで、マップされた変調シンボルを送信するためのモジュール７１６とを含む。
【００６４】
図８は、無線通信システムにおいて、シグナリング（例えばＡＣＫまたはＮＡＫ）を受信するためのプロセス８００の設計を示す。プロセス８００は、基地局または何か他のエンティティ（entity）によって実行され得る。基地局は、サブキャリアの少なくとも１つのタイルから受信シンボルの少なくとも１つのベクトルを取得し得る（ブロック８１２）。一設計では、８個の受信されたシンボルの１つのベクトルは、各タイル内の８個のサブキャリアから取得され得る。他の設計では、１２個の受信シンボルの１つのベクトルは、各タイル内の１２個のサブキャリアから取得され得る。基地局は、少なくとも１つのタイルで複数の加入者局の各々によって送信された変調シンボルの少なくとも１つのベクトルの１セット決定するために、受信シンボルの少なくとも１つのベクトルを処理し得る（ブロック８１４）。それから基地局は、少なくとも１つのタイルで加入者局によって送信されたと判定された変調シンボルの少なくとも１つのベクトルのセットに基づいて、複数の加入者局の各々によって送信されたシグナリング値を決定し得る（ブロック８１６）。
【００６５】
一設計では、基地局は、３個のタイルからの受信シンボルの３個のベクトルを取得し得る。基地局は、これら３個のタイルで各加入者局によって送信された変調シンボルの３個のベクトルの１セットを決定するために、受信シンボルのこれら３個のベクトルを処理し得る。それから基地局は、これら３個のタイルでこの加入者局によって送信されたと判定された変調シンボルの３個のベクトルのセットに基づいて、各加入者局によって送信されたシグナリング値を決定し得る。
【００６６】
一設計では、各加入者局に関して基地局は、例えば式（２）、（５）または（７）に示すように、第１の値を取得するためにＡＣＫに関してこの加入者局によって使用可能な変調シンボルの３個のベクトルに対して、受信シンボルの３個のベクトルを相関付けることができる。基地局はまた、例えば式（３）、（６）または（８）に示すように、第２の値を取得するためにＮＡＫに関して加入者局によって使用可能な変調シンボルの３個のベクトルに対して、受信シンボルの３個のベクトルを相関付けることができる。それから基地局は、例えば式（４）に示すように、第１、第２の値に基づいてＡＣＫまたはＮＡＫが加入者局によって送信されたか否かを判定し得る。
【００６７】
一般に各加入者局からのシグナリング値は、複数の可能なシグナリング値の１つであって、各可能なシグナリング値が少なくとも１つのタイルで加入者局によって送信する変調シンボルの少なくとも１つのベクトルの異なる１セットに関連し得る。各加入者局に関して基地局は、受信されたシンボルの少なくとも１つのベクトルを複数の可能なシグナリング値のために、この加入者局によって使用可能な変調シンボルの少なくとも１つのベクトルの複数のセットの各々に相関付けることができる。それから基地局は、複数のベクトルセットに関する相関付け結果に基づいて、加入者局によって送信されたシグナリング値を決定し得る。
【００６８】
図９は、無線通信システムにおいて、シグナリングを受信するための装置９００の設計を示す。装置９００は、サブキャリアの少なくとも１つのタイルから受信シンボルの少なくとも１つのベクトルを取得するためのモジュール９１２と、少なくとも１つのタイルで複数の加入者局の各々によって送信された変調シンボルの少なくとも１つのベクトルの１セットを決定するために受信シンボルの少なくとも１つのベクトルを処理するためのモジュール９１４と、少なくとも１つのタイルで加入者局によって送信されたと判定された変調シンボルの少なくとも１つのベクトルのこのセットに基づいて複数の加入者局の各々によって送信されたシグナリング値を決定するためのモジュール９１６とを含む。
【００６９】
図７および９のモジュールは、プロセッサ、電子デバイス、ハードウエアデバイス、エレクトロニクス構成要素、論理回路、メモリなど、またはこれらの任意の組合せを備え得る。
【００７０】
図１０は、図１の基地局の１つと加入者局の１つである基地局１１０と加入者局１２０の設計のブロック図を示す。この設計では、基地局１１０はＴ個のアンテナ１０２４ａ〜１０２４ｔを備え、加入者局１２０はＲ個のアンテナ１０５２ａ〜１０５２ｒを備える。ここで、一般には、Ｔ≧１、Ｒ≧１である。
【００７１】
基地局１１０において、送信プロセッサ１０１０は、データソース１００８から１つ以上の加入者局に関するデータを受信し得る。送信プロセッサ１０１０は、各加入者局に関する変調シンボルを取得するために各加入者局に関するデータを処理（例えばフォーマット化、符号化、インタリーブおよびシンボルマップ）し得る。送信プロセッサ１０１０はまた、オーバーヘッド情報に関して変調シンボルを取得するためにオーバーヘッド情報（例えばＭＡＰメッセージ）を処理し得る。送信（ＴＸ）ＭＩＭＯプロセッサ１０２０は、任意の多重化方式を使用してすべての加入者局とオーバーヘッド情報とに関する変調シンボルをパイロット変調シンボルと共に多重化し得る。ＴＸ ＭＩＭＯプロセッサ１０２０は、多重化された変調シンボルを空間的に処理することが可能であって、Ｔ個の出力シンボルストリームをＴ個の送信機（ＴＭＴＲ）１０２２ａ〜１０２２ｔに与える。各送信機１０２２は、出力チップストリームを取得するためにそれぞれの出力シンボルストリーム（例えばＯＦＤＭに関する）を処理することが可能であって、更にダウンリンク信号を取得するために、この出力チップストリームを調整（例えばアナログ変換、増幅、フィルタリングおよびアップコンバート）し得る。送信機１０２２ａ〜１０２２ｔからのＴ個のダウンリンク信号は、それぞれＴ個のアンテナ１０２４ａ〜１０２４ｔを介して送信され得る。
【００７２】
加入者局１２０ではアンテナ１０５２ａ〜１０５２ｒは、基地局１１０からのダウンリンク信号を受信することが可能であって、受信信号をそれぞれ受信機（ＲＣＶＲ）１０５４ａ〜１０５４ｒに供給し得る。各受信機１０５４は、サンプルを取得するために各受信機の受信信号を調整（例えばフィルタリング、増幅、ダウンコンバートおよびディジタル化）することが可能であって、また更に受信シンボルを取得するためにサンプル（例えばＯＦＤＭに関する）を処理し得る。ＭＩＭＯ検出器１０５６は、基地局１１０によって送信された変調シンボルの推定値である検出シンボルを取得するために、ＭＩＭＯ受信機処理技術に基づいてＲ個すべての受信機１０５４ａ〜１０５４ｒからの受信シンボルを処理し得る。受信プロセッサ１０６０は、検出されたシンボルを処理（例えば復調、デインタリーブおよび復号）し、加入者局１２０に関する復号されたデータをデータシンク（データ受信装置）１０６２に供給し、オーバーヘッド情報をコントローラ／プロセッサ１０７０に供給することができる。一般に、ＭＩＭＯ検出器１０５６と受信プロセッサ１０６０とによる処理は、基地局１１０におけるＴＸ ＭＩＭＯプロセッサ１０２０と送信プロセッサ１０１０とによる処理と相補的である。
【００７３】
アップリンクにおいて加入者局１２０では、データソース（データ送信装置）１０７８からのデータとコントローラ／プロセッサ１０７０からのシグナリング（例えばＡＣＫ／ＮＡＫ）は、送信プロセッサ１０８０によって処理され、更に変調器１０８２によって処理され、送信機１０５４ａ〜１０５４ｒによって調整され、そして基地局１１０に送信され得る。基地局１１０では、加入者局１２０からのアップリンク信号は、加入者局１２０によって送信されたデータとシグナリングとを取得するために、アンテナ１０２４によって受信され、受信機１０２２によって調整され、ＭＩＭＯ検出器１０３８によって検出され、そして受信プロセッサ１０４０によって処理され得る。これらのデータはデータシンク１０４２に供給され、シグナリングはコントローラ／プロセッサ１０３０に供給され得る。
【００７４】
コントローラ／プロセッサ１０３０および１０７０は、基地局１１０および加入者局１２０それぞれにおける動作を指示し得る。コントローラ／プロセッサ１０３０は、図８のプロセス８００および／またはここで説明された技術に関する他のプロセスを実行または指示し得る。コントローラ／プロセッサ１０７０は、図６のプロセス６００および／またはここで説明された技術に関する他のプロセスを実行または指示し得る。メモリ１０３２および１０７２は、基地局１１０および加入者局１２０それぞれに関するデータとプログラムコードを記憶し得る。スケジューラ１０３４は、ダウンリンクおよび／またはアップリンクでの送信のために加入者局をスケジュールし、スケジュールされた加入者局のためにリソースの割当てを与え得る。
【００７５】
当業者は、情報と信号が種々の異なる技術と技法の任意のものを使用して表され得ることを理解するであろう。例えば上記の説明を通じて参照され得るデータ、命令、コマンド、情報、信号、ビット、シンボルおよびチップは、電圧、電流、電磁波、磁界または磁気粒子、光場または光粒子、あるいはこれらの任意の組合せによって表され得る。
【００７６】
当業者は更に、ここで本開示に関連して説明された種々の例示的論理ブロック、モジュール、回路およびアルゴリズムステップが電子ハードウエア、コンピュータソフトウエアまたは両者の組合せとして実現され得ることを認めるであろう。ハードウエアとソフトウエアのこの交換可能性を明確に説明するために、種々の例示的構成要素、ブロック、モジュール、回路およびステップが概してこれらの機能の観点から上記に説明されてきた。このような機能がハードウエアまたはソフトウエアとして実現されるかどうかは、特定の用途とシステム全体に課せられる設計上の制約とに依存する。熟練した技能者は、説明された機能を各特定の用途のために種々の仕方で実現し得るが、このような実現の決定は、本開示の範囲からの逸脱を引き起こすものと解釈されるべきではない。
【００７７】
ここで本開示に関連して説明された種々の例示的論理ブロック、モジュールおよび回路は、汎用プロセッサ、ディジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウエア構成要素、あるいはここで説明された機能を実行するために設計されたこれらの任意の組合せによって、実現または実行され得る。汎用プロセッサはマイクロプロセッサであり得るが、代替としてこのプロセッサは任意の通常のプロセッサ、コントローラ、マイクロコントローラ、または状態機械であり得る。プロセッサはまた、複数のコンピューティングデバイスの組合せ、例えば１つのＤＳＰと１つのマイクロプロセッサとの組合せ、複数のマイクロプロセッサの組合せ、１つのＤＳＰコアと連携した１つ以上のマイクロプロセッサの組合せ、あるいは他の任意のこのような構成として実現され得る。
【００７８】
ここで本開示に関連して説明された方法またはアルゴリズムのステップは、ハードウエアにおいて、プロセッサによって実行されるソフトウエアモジュールにおいて、またはこれら２つの組合せにおいて直接具体化され得る。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、可換型ディスク、ＣＤ−ＲＯＭ、または当分野で既知の任意の他の形式の記憶媒体に常駐し得る。例示的記憶媒体は、プロセッサが情報をこの記憶媒体から読み取ることができ、また書き込むことができるようにプロセッサに接続される。代替として、記憶媒体はプロセッサと一体化され得る。プロセッサと記憶媒体は、ＡＳＩＣに常駐し得る。ＡＳＩＣは、ユーザ端末に常駐し得る。代替としてプロセッサと記憶媒体は、ユーザ端末に個別の構成要素として常駐し得る。
【００７９】
１つ以上の例示的な設計では、説明された機能は、ハードウエア、ソフトウエア、ファームウエア、またはこれらの任意の組合せにおいて実現され得る。もしソフトウエアで実現されるのであれば、これらの機能は１つ以上の命令またはコードとしてコンピュータ可読媒体に記憶され、あるいは送信され得る。コンピュータ可読媒体は、コンピュータ記憶媒体と、ある場所から他の場所へのコンピュータプログラムの転送を容易にする任意の媒体を含む通信媒体との両者を含む。記憶媒体は、汎用また専用コンピュータによってアクセスされ得る任意の利用可能な媒体であり得る。限定ではなく例としてこのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは命令またはデータ構造の形式の所望のプログラムコード手段を搬送または記憶するために使用され得る、そして汎用または専用コンピュータ、または汎用または専用プロセッサによってアクセスされ得る他の任意の媒体を備え得る。また何らかの接続手段も適切にコンピュータ可読媒体と呼ばれる。例えばソフトウエアが同軸ケーブル、光ファイバケーブル、より対線（ツイストペア線）、またはディジタル加入者線（ＤＳＬ）を使用して、あるいは赤外線、無線およびマイクロ波といった無線技術を使用してウェブサイト、サーバまたは他の遠隔情報源から送信される場合、これらの同軸ケーブル、光ファイバケーブル、より対線（ツイストペア線）、またはＤＳＬ、あるいは赤外線、無線およびマイクロ波といった無線技術は、媒体の定義に含まれる。ここで使用されたディスク（ｄｉｓｋ）およびディスク（ｄｉｓｃ）は、コンパクトディスク（ＣＤ）、レーザディスク、光ディスク、ディジタルバーサタイルディスク（ＤＶＤ）、フロッピー（登録商標）ディスク、およびブルーレイディスクを含むが、この場合ｄｉｓｋは通常データを磁気的に再生するのに対してｄｉｓｃはレーザによってデータを光学的に再生する。上記の組合せもまた、コンピュータ可読媒体の範囲に含まれるべきである。
【００８０】
本開示の前述の説明は、当分野に精通する如何なる人も本開示を実施または使用することを可能にするために提供されている。本開示に対する種々の修正は、当業者にとって直ちに明らかであろうし、またここで定義された一般的原理は本開示の精神または範囲から逸脱せずに他の変形版に適用可能である。したがって本開示は、ここで説明された例と設計とに限定されるとは意図されておらず、ここで説明された原理と新規な特徴とに一致する最も広い範囲と認められるべきである。
【図１】
2010521886.tif 000015
【図２】
2010521886.tif 000016
【図３】
2010521886.tif 000017
【図４Ａ】
2010521886.tif 000018
【図４Ｂ】
2010521886.tif 000019
【図５】
2010521886.tif 000020
【図６】
2010521886.tif 000021
【図７】
2010521886.tif 000022
【図８】
2010521886.tif 000023
【図９】
2010521886.tif 000024
【図１０】
2010521886.tif 000025
【国際調査報告】
2010521886.tif 000026
2010521886.tif 000027
2010521886.tif 000028